(57)【要約】【課題】住戸外に設置された呼出装置と、異常事象を検出する少なくとも一つの検出器と、住戸内に設置され、呼出装置を介して来訪者と応対する応対機能及び検出器を用いて異常監視を行う監視機能を有する住戸装置とを含むセキュリティ機能付きインターホンシステムにおいて、意図しない多機能ボタンの連続押下による誤操作を防止する。【解決手段】インターホンシステム１の住戸装置３は、操作部３１と、その操作モードを、監視機能の動作状態を切り替える監視切替用に機能させる監視制御モードと、応対機能を終了させる応対終了用に機能させる呼出応対モードとの間で切り替える操作モード切替部３９とを有し、操作モード切替部３９は、呼出応対モード中に操作部３１が操作されたことを検出すると、呼出応対モードを終了して監視制御モードへ移行させるとともに、その操作から所定時間を経過するまで操作部３１の操作を無効とする無効期間を設定する。【選択図】図１
2010041137.tif 000002
【特許請求の範囲】
【請求項１】
住戸外に設置された呼出装置と、
異常事象を検出する少なくとも一つの検出器と、
住戸内に設置され、前記呼出装置を介して来訪者と応対する応対機能及び前記検出器を用いて異常監視を行う監視機能を有する住戸装置と、
を含んで構成されるセキュリティ機能付きインターホンシステムにおいて、
前記住戸装置は、
利用者が操作する操作部と、
前記操作部の操作モードを、前記監視機能の動作状態を切り替える監視切替用に機能させる監視制御モードと、前記応対機能を終了させる応対終了用に機能させる呼出応対モードとの間で切り替える操作モード切替部とを有し、
前記操作モード切替部は、前記呼出応対モード中に前記操作部が操作されたことを検出すると、前記呼出応対モードを終了して前記操作モードを前記監視制御モードへ移行させるとともに、当該操作から所定時間を経過するまで前記操作部の操作を無効とする無効期間を設定する、
ことを特徴とするインターホンシステム。
【請求項２】
前記住戸装置は、前記操作部とは別個に前記応対機能を終了させる第２操作部をさらに有し、
前記操作モード切替部は、前記呼出応対モード中に前記第２操作部が操作されたことを検出したときは、前記呼出応対モードを終了させるとともに、前記無効期間を設定せずに前記操作モードを前記監視制御モードへ移行させる、請求項１に記載のインターホンシステム。
【請求項３】
住戸内に設置され、住戸外に設置された呼出装置を介して来訪者と応対する応対機能及び異常事象を検出する少なくとも一つの検出器を用いて異常監視を行う監視機能を有するインターホン住戸装置であって、
利用者が操作する操作部と、
前記操作部の操作モードを、前記監視機能の動作状態を切り替える監視切替用に機能させる監視制御モードと、前記応対機能を終了させる応対終了用に機能させる呼出応対モードとの間で切り替える操作モード切替部とを有し、
前記操作モード切替部は、前記呼出応対モード中に前記操作部が操作されたことを検出すると、前記呼出応対モードを終了して前記操作モードを前記監視制御モードへ移行させるとともに、当該操作から所定時間を経過するまで前記操作部の操作を無効とする無効期間を設定する、
ことを特徴とするインターホン住戸装置。
【発明の詳細な説明】
【技術分野】
【０００１】
本発明は、インターホンシステム及びインターホン住戸装置に関し、特に、一つの操作ボタンが複数の異なる機能を持つ多機能ボタンを備えたインターホン住戸装置を含むセキュリティ機能付きインターホンシステムに関する。
【背景技術】
【０００２】
近年、防犯への意識の高まりに応じて、オートロック機能を備えた集合住宅の市場が拡大している。このような集合住宅では、居住者が来訪者を確認した上で集合住宅の建物内へ入ることを許可するか否かを決定できるようにするために、ロビーに設置された呼出器と、各住戸に設置された住戸装置とからなるインターホンシステムが利用されている。
また、住戸への不審者の侵入等を検知して警報を発するセキュリティ機能を備えたインターホンシステムも開発されている。このようなインターホンシステムに用いられる住戸装置は、ロビーインターホンからの呼出に応対する操作機能の他、住戸に設置されたセキュリティ機器による監視機能の設定を行う操作機能を有する。このため、住戸装置は、画面設定または音量変更等の一般操作を担う操作ボタンだけでなく、呼出応対時にロビーの通用扉を遠隔解錠するための操作ボタン及びセキュリティ機能の動作状態を設定するための操作ボタンなど、非常に多くの操作ボタンを必要とする。
【０００３】
そこで、操作ボタン数の増加による装置構造の複雑化、大型化及び操作性の低下を解消するために、一つの操作ボタンに、状況に応じて異なる機能として働かせる多機能ボタンを操作ボタンとして採用したインターホンシステムの住戸装置が提案されている（例えば、特許文献１を参照）。
【０００４】
【特許文献１】特開２００３−２２４６６４号公報
【発明の開示】
【発明が解決しようとする課題】
【０００５】
上記のようなセキュリティ機能付きインターホンシステムの住戸装置は、通常時に表示されるメニュー画面と、ロビーの呼出器から呼び出されたときに表示される呼出応対画面と、少なくとも二つの画面モードを持つ。そして、メニュー画面において、各操作ボタンは各種の設定操作を行う機能を担い、居住者は、その操作ボタンを操作することによって警備モードを切り替える等のセキュリティ機能の設定操作を行うことができる。一方、呼出応対画面において、各操作ボタンは来訪者との通話及び終話を指示する機能、ロビーの通用扉を解錠指示する機能等を担い、居住者はその操作ボタンを操作することによって、来訪者への応対のための操作を行うことができる。また、呼出応対画面のときに解錠指示したり、終話を指示するために操作ボタンが押下されたときには、住戸装置は呼出応対画面を終了してメニュー画面に戻る。
【０００６】
そこで、居住者が呼出応対画面を終了させる操作ボタンを誤って連続的に複数回押下してしまうと、１度目のボタン押下によってメニュー画面に切り替わり、２回目以降のボタン押下によって意図せず警備モード等の設定が切り替えられてしまうおそれがあった。例えば、その誤ったボタン操作によって、インターホンシステムの警備モードが監視を行わない警戒解除モードに意図せず切り替わってしまうと、異常発生を報知できないおそれがある。また、警備モードが玄関扉及び窓の開閉を監視する在宅警戒モードに意図せず切り替わってしまうと、居住者自らの行為で異常が検知され、誤報となるおそれがある。
【０００７】
そこで、本発明は、多機能ボタンを用いたセキュリティ機能付きインターホンシステムにおいて、意図しない多機能ボタンの連続押下による誤操作を防止可能なインターホンシステムを提供することを目的とする。
【課題を解決するための手段】
【０００８】
かかる課題を解決するための本発明の一つの実施形態によれば、住戸外に設置された呼出装置と、異常事象を検出する少なくとも一つの検出器と、住戸内に設置され、呼出装置を介して来訪者と応対する応対機能及び検出器を用いて異常監視を行う監視機能を有する住戸装置とを含んで構成されるセキュリティ機能付きインターホンシステムが提供される。係るインターホンシステムにおいて、住戸装置は、利用者が操作する操作部と、操作部の操作モードを、監視機能の動作状態を切り替える監視切替用に機能させる監視制御モードと、応対機能を終了させる応対終了用に機能させる呼出応対モードとの間で切り替える操作モード切替部とを有し、操作モード切替部は、呼出応対モード中に操作部が操作されたことを検出すると、呼出応対モードを終了して操作モードを監視制御モードへ移行させるとともに、その操作から所定時間を経過するまで操作部の操作を無効とする無効期間を設定する。
【０００９】
係るインターホンシステムによれば、操作モードが呼出応対モードに設定されている間に誤って操作部を２回操作してしまった場合でも、利用者の意図に反して監視機能が切り替わることを防止可能である。例えば、呼出装置の設置エリアから住戸エリアへの進入を規制する規制手段を有し、呼出応対モード中に操作部が操作されると、規制手段を開放制御するとともに操作モードを監視制御モードへ移行させるように構成した場合に、開放制御の指示に際して利用者が操作部を２度操作してしまっても、規制手段は確実に開放されるが、意図していない監視機能の切り替えは為されない。
なお、操作モード切替部は、呼出装置から呼出信号を受信すると操作モードを監視制御モードから呼出応対モードへ移行させ、このときは利用者が迅速に応対操作することが可能なように所定の無効期間を設けることなく操作部への操作を有効にするとよい。
【００１０】
さらに、住戸装置は、操作部とは別個に応対機能を終了させる第２操作部を有し、操作モード切替部は、呼出応対モード中に第２操作部が操作されたことを検出したときは、呼出応対モードを終了させるとともに、無効期間を設定せずに操作モードを監視制御モードへ移行させることが好ましい。
【００１１】
また、本発明の他の実施形態によれば、住戸内に設置され、住戸外に設置された呼出装置を介して来訪者と応対する応対機能及び異常事象を検出する少なくとも一つの検出器を用いて異常監視を行う監視機能を有するインターホン住戸装置が提供される。係るインターホン住戸装置は、利用者が操作する操作部と、操作部の操作モードを、監視機能の動作状態を切り替える監視切替用に機能させる監視制御モードと、応対機能を終了させる応対終了用に機能させる呼出応対モードとの間で切り替える操作モード切替部とを有し、操作モード切替部は、呼出応対モード中に操作部が操作されたことを検出すると、呼出応対モードを終了して操作モードを監視制御モードへ移行させるとともに、その操作から所定時間を経過するまで操作部の操作を無効とする無効期間を設定する。
【発明の効果】
【００１２】
本発明に係るセキュリティ機能付きインターホンシステムは、意図しない多機能ボタンの連続押下による誤操作を防止できるという効果を奏する。
【発明を実施するための最良の形態】
【００１３】
以下、本発明の一実施形態に係るインターホンシステムを図を参照しつつ説明する。
図１は、インターホンシステム１の概略構成を示す。図１に示すように、インターホンシステム１は、集合住宅１００に設置される。そして、インターホンシステム１は、集合住宅１００の共用玄関であるロビー１１０に設置された呼出装置２と、各住戸に設置された複数の住戸装置３とを有する。そして、呼出装置２と各住戸装置３とは、信号線６により接続されており、各種の制御信号、音声信号、映像信号などを互いに伝送することが可能となっている。なお、インターホンシステム１に設置された全住戸装置３及び呼出装置２を統括管理する管理装置（図示せず）を設け、その管理装置を介して住戸装置３と呼出装置２間を接続する構成としてもよい。また各住戸装置３には、住戸内または住戸周囲で発生した異常事象を検知するための検出器４が少なくとも一つ接続されている。検出器４は、例えば、住戸内の火災を検知する火災センサ、玄関の扉に設けられ、その扉の開放を検知する開閉センサ、窓に設けられ、その窓の開放を検知する開閉センサ、あるいは住戸内の侵入者を、人体が発する熱源を検知したり、住戸内を撮影した画像から移動物体を検知することにより検知する侵入センサである。これらのセンサとして、公知の様々なものを利用できるため、ここではその詳細な説明を省略する。
【００１４】
また、集合住宅１００は、ロビー１１０と、各住戸及び共用通路を含む住戸エリア１２０とに区分されており、ロビー１１０と住戸エリア１２０との境界には扉１３０が設置されている。その扉１３０には電気錠５が設けられ、扉１３０とともに住戸エリア１２０への通行を規制する規制手段を構成している。また電気錠５は、通常時において施錠されている。その電気錠５は、インターホンシステム１と接続されており、インターホンシステム１により制御可能となっている。そして、居住者は、ロビー１１０から住戸エリア１２０へ進入する場合、呼出装置２にて、暗証番号を入力するか鍵操作を行う。インターホンシステム１は、正当な鍵を用いた鍵操作が行われるか、入力された暗証番号が登録されている暗証番号と一致することを確認して居住者であることを認証すれば、電気錠５を解錠制御し（あるいはさらに扉１３０を開放し）、住戸エリア１２０への通行規制を解除する。また、来訪者が住戸エリア１２０へ進入しようとする場合、先ず、来訪者は呼出装置２にて訪問先の住戸に設置された住戸装置３を呼び出す。そして居住者が、その住戸装置３にて解錠操作を行えば、インターホンシステム１は電気錠５を解錠し、来訪者が住戸エリア１２０へ進入することが可能となる。なお、電気錠５は、解錠後一定期間が経過した後に、自動的に施錠される。
以下、インターホンシステム１の各部について詳細に説明する。
【００１５】
図２に、呼出装置２の概略構成図を示す。図２に示すように、呼出装置２は、カメラ２１、操作ボタン２２、表示灯２３、マイクロホン２４、スピーカ２５、メモリ２６、通信インターフェース２７及び制御部２８を有する。
【００１６】
カメラ２１は、ＣＣＤ、Ｃ−ＭＯＳなどの光電変換素子により構成される２次元検出器と、その２次元検出器上に撮影範囲の像を結像する撮像光学系を有する。またそのような撮像光学系は、呼出装置２を操作した来訪者が撮影されるよう、呼出装置２の正面を含む広い範囲を撮影できるような広角レンズであることが好ましい。カメラ２１は、操作ボタン２２を介した呼出操作が行われると、制御部２８により起動され、応対動作が終了するまで、呼出装置２を操作する操作者（来訪者）を連続的に撮影する。そしてカメラ２１は撮影した映像を逐次制御部２８へ送る。
【００１７】
操作ボタン２２は、テンキー、クリアキー、呼出ボタン、解錠ボタンなど、複数のボタンスイッチで構成される。そして操作ボタン２２の何れかを押下することにより、押下されたボタンに対応する入力信号が制御部２８へ送られる。
表示灯２３は、例えば、複数のＬＥＤ等により構成されるセグメントディスプレイであり、操作ボタン２２を介して入力した住戸番号をセグメント表示する。あるいは表示灯２３は、液晶ディスプレイなどで構成され、入力した住戸番号の他、「呼び出し中」、「解錠」など、インターホンシステム１の状態を表示してもよい。
【００１８】
マイクロホン２４は、インターホンシステム１が応対動作を行っている間、来訪者の声を集音し、制御部２８へ送る。またスピーカ２５は、制御部２８による自動応答音声信号、あるいは何れかの住戸装置３から信号線６を介して送られてきた音声信号にしたがった音を発し、来訪者に報知する。
【００１９】
メモリ２６は、不揮発性の半導体メモリなどで構成され、登録済みの暗証番号、各種設定情報、呼出装置２の制御部２８上で動作するプログラムなどを記憶する。
通信インターフェース２７は、呼出装置２を、住戸装置３、電気錠５など、その他の機器と接続し、各種信号を送受信するためのインターフェースであり、例えば、ＵＳＢ、ＳＣＳＩ、ＲＳ２３２Ｃ、イーサネット（登録商標）などの通信規格にしたがった通信インターフェース及びその周辺回路などで構成される。
【００２０】
制御部２８は、マイクロプロセッサ及びその周辺回路で構成され、呼出装置２の各部の制御及び住戸装置３との通信処理を実行する。また制御部２８は、呼出装置２と接続された電気錠５を施解錠制御する。さらに制御部２８は、電気錠５が設置された扉１３０の開閉制御を行ってもよい。
例えば、操作ボタン２２のうちのテンキーを操作して、住戸番号が入力された後、呼出ボタンが押下されると、制御部２８は、その操作ボタン２２からの入力信号に従って入力された住戸番号に対応する住戸装置３に呼出信号を送出する。そして住戸装置３からの応答を受けて、その住戸装置３と呼出装置２との間での通話を可能にする。また上記のように、制御部２８は、カメラ２１を起動する。そして制御部２８は、カメラ２１から取得した映像信号、マイクロホン２４から取得した音声信号などを通信インターフェース２７及び信号線６を介して住戸装置３へ送信する。また制御部２８は、住戸装置３から解錠指示信号を受信すると、電気錠５を解錠制御する。さらに、住戸装置３から応対終了信号を受信すると、制御部２８は、その住戸装置３との通信・通話を終了する処理を行い、カメラ２１による撮影を停止させる。
あるいは、操作ボタン２２のうちのテンキーを操作して暗証番号が入力され、その後解錠ボタンが押下されると、制御部２８は、入力された暗証番号がメモリ２６に予め記憶された登録暗証番号と一致するか否か判定する。そして一致する場合、制御部２８は、通信インターフェース２７を介して解錠信号を電気錠５へ送信して、電気錠５を解錠制御する。
【００２１】
図３に、住戸装置３の概略構成図を示す。図３に示すように、住戸装置３は、多機能ボタン３１、モニタ３２、通話ボタン３３、マイクロホン３４、スピーカ３５、メモリ３６、通信インターフェース３７、監視インターフェース３８及び制御部３９を有する。また図４（ａ）及び（ｂ）に、住戸装置３の概略正面図を示す。
【００２２】
多機能ボタン３１は、住戸装置３の操作部として機能するボタンスイッチである。本実施形態では、図４（ａ）及び図４（ｂ）に示すように、多機能ボタン３１は、モニタ３２の左右に３個ずつ配置された６個の機能ボタン３１ａ〜３１ｆから構成される。また多機能ボタン３１は、操作モードに応じて、住戸装置３に対して異なる処理を行わせることができる。ここで、操作モードには、住戸装置３の警戒モード設定などの各種設定の行うための監視制御モードと、来訪者の応対に必要な操作、例えば、電気錠５の解錠操作、通話音量の変更などを行うための呼出応対モードが含まれる。
【００２３】
モニタ３２は、呼出装置２から受信した映像などを表示するディスプレイであり、例えば、液晶ディスプレイにより構成される。またモニタ３２は、メモリ３６に格納された表示画面データに従って、多機能ボタン３１に含まれる各ボタンの機能を、操作モードに応じて表示する。なお、モニタ３２をタッチパネルディスプレイで構成し、モニタ３２と多機能ボタン３１を一体化してもよい。
【００２４】
再度図４（ａ）を参照する。図４（ａ）は、住戸装置３のモニタに監視制御モードに対応するメニュー画面が表示された場合の様子を示す。この場合、多機能ボタン３１に含まれる各機能ボタン３１ａ〜３１ｆは、それぞれ以下の機能を有する。
機能ボタン３１ａ（モニタ３２上の対応表示は「監視」）：住戸装置３の警戒モードを警戒解除モード、在宅警戒モード及び外出警戒モードの間でサイクリックに切り替える。
機能ボタン３１ｂ（モニタ３２上の対応表示は「玄関」）：住戸装置３の警戒モードを玄関だけを監視する部分警戒モードに設定する。
機能ボタン３１ｃ（モニタ３２上の対応表示は「窓」）：住戸装置３の警戒モードを窓だけを監視する部分警戒モードに設定する。
機能ボタン３１ｄ（モニタ３２上の対応表示は「カメラ」）：呼出装置２に対してカメラ２１の撮影映像を要求し、取得した映像をモニタ３２に表示する。
機能ボタン３１ｅ（モニタ３２上の対応表示は「再生」）：住戸装置３が記録している映像を表示する。
機能ボタン３１ｆ（モニタ３２上の対応表示は「設定」）：住戸装置３の操作モードを、モニタ３２の輝度、警報音の音量などの各種基本設定を変更する保守モードへ移行させる。
【００２５】
図４（ｂ）に、住戸装置３のモニタに呼出応対モードに対応する応対画面が表示された場合の住戸装置３の概略正面図を示す。この場合、多機能ボタン３１に含まれる各機能ボタン３１ａ〜３１ｆは、それぞれ以下の機能を有する。
機能ボタン３１ａ（モニタ３２上の対応表示は「解錠」）：呼出装置２に対してロビー１１０と住戸エリア１２０間の扉１３０に設けられた電気錠５の解錠を指示する制御信号を送信する。また呼出応対モードを終了し、住戸装置３の操作モードを監視制御モードへ移行させる。
機能ボタン３１ｂ（モニタ３２上の対応表示は「音大」）：住戸装置３のスピーカ３５から発せられる通話音量を上げる。
機能ボタン３１ｃ（モニタ３２上の対応表示は「音小」）：住戸装置３のスピーカ３５から発せられる通話音量を下げる。
機能ボタン３１ｄ（モニタ３２上の対応表示は「録画」）：呼出装置２のカメラ２１により撮影された映像を録画し、メモリ３６に記憶する。
機能ボタン３１ｅ（モニタ３２上の対応表示は「停止」）：映像の録画を停止する。
機能ボタン３１ｆ（モニタ３２上の対応表示は無し）：機能は設定されていない。
なお、多機能ボタン３１の各機能ボタンの配列及び機能は上記の例に限られない。
【００２６】
通話ボタン３３は、呼出装置２との間で通話を開始または通話を終了することを指示するためのボタンスイッチである。そして、呼出装置２から住戸装置３が呼び出され、呼出応対モードになったとき、通話ボタン３３を押下することによって住戸装置３は呼出装置２との間で音声信号の送受信を開始する（すなわち、通話を開始する）。また、通話中に通話ボタン３３を押下することによって、住戸装置３は呼出装置２との間の音声信号の送受信を停止する（すなわち、通話を停止する）とともに、操作モードを監視制御モードへ移行させる。
【００２７】
マイクロホン３４は、インターホンシステム１が応対動作を行っている間、居住者の声を集音し、制御部３９へ送る。その居住者の音声は、信号線６を介して呼出装置２へ送られる。またスピーカ３５は、住戸装置３の操作音または呼出装置２から信号線６を介して送られてきた音声信号にしたがった音を発し、居住者に報知する。
【００２８】
メモリ３６は、不揮発性の半導体メモリ、ＤＶＤ、ビデオテープなどの記録媒体及びそのアクセス装置などで構成され、各操作モードに対する多機能ボタン３１に含まれる各ボタンの機能を表す多機能ボタン対応テーブル及びモニタの表示画面データ、各種設定情報、住戸装置３の制御部３９上で動作するプログラム、録画映像などを記憶する。
通信インターフェース３７は、住戸装置３を信号線６を介して呼出装置２と接続し、各種信号を送受信するためのインターフェースであり、例えば、イーサネット（登録商標）などの通信規格にしたがった通信インターフェース及びその周辺回路などで構成される。さらに通信インターフェース３７は、信号線６あるいは公衆通信回線網を介して、管理装置（図示せず）または集合住宅１００の外部に設置された警備センタ装置（図示せず）との間で通信を行う。また監視インターフェース３８は、各検出器４を住戸装置３に接続し、各検出器４からの検知信号を受信したり、住戸装置３から各検出器４への制御信号を送信するためのインターフェースであり、例えば、ＵＳＢ、ＳＣＳＩ、ＲＳ２３２Ｃ、イーサネット（登録商標）などの通信規格にしたがった通信インターフェース及びその周辺回路などで構成される。
【００２９】
制御部３９は、マイクロプロセッサ及びその周辺回路で構成され、住戸装置３の各部及びその住戸装置３に接続された各検出器４の制御と、呼出装置２との通信を行う。また制御部３９は、設定された警戒モードに従って、住戸内またはその周囲の監視を行う。なお、警戒モードとしては、警戒解除モード、在宅警戒モード、外出警戒モード及び部分警戒モードがある。警戒解除モードは、検出器４から検知信号を受信しても、異常発生の有無の判定を行わず、異常発生を報知しないモードである。また外出警戒モードは、住戸装置３に接続された検出器４のうちの何れかから検知信号を受信すると、異常発生と判定するモードである。外出警戒モードに設定されている場合、制御部３９は、検出器４からの検知信号に基づいて異常が発生したと判定するとスピーカ３５から異常発生を知らせる警報音を発して居住者に報知するとともに、信号線６または公衆通信回線網を介して管理装置（図示せず）または警備センタ装置（図示せず）へ異常通報信号を送信する。在宅警戒モードは、居住者が住戸内にいるときに、玄関または窓といった住戸外からの侵入経路を監視するモードである。この場合、制御部３９は、そのような侵入経路に設置された検出器４からの検知信号だけに基づいて、異常発生の有無を判定する。なお、在宅警戒モードの一つとして、玄関または窓だけを監視する部分警戒モードが含まれる。
【００３０】
さらに制御部３９は、住戸装置３の操作モードを、監視制御モードと呼出応対モードとの間で切り替える操作モード切替部として機能する。以下、操作モードの切り替えについて詳しく説明する。
先ず、住戸装置３と呼出装置２との間で通信を行わない待機時において、操作モードは監視制御モードに設定されている。そして制御部３９は、メモリ３６から監視制御モードに対応するメニュー画面の表示画面データを読み込み、モニタ３２に表示させる。なお、制御部３９は、操作モードを監視制御モードへ移行させる度、上記と同様にメモリ３６からメニュー画面の表示画面データを読み込み、モニタ３２に表示させる。そのため、以下の説明において操作モードが監視制御モードへ移行するときには画面の切り替えについて特に言及しない。また制御部３９は、多機能ボタン３１の何れかの機能ボタンが押下されると、メモリ３６に記憶された多機能ボタン対応テーブルを参照して、その機能ボタンに対応する監視制御モード時の機能を実行する。
【００３１】
操作モードが監視制御モードに設定されている場合において、制御部３９は呼出装置２から呼出信号を受信すると、操作モードを呼出応対モードへ移行させる。そして制御部３９は、メモリ３６から呼出応対モードに対応する応対画面の表示画面データを読み込み、モニタ３２に表示させる。呼出信号を受信してから所定の待機時間（例えば、２０秒間）が経過するまでに、通話ボタン３３が押下されて通話が開始されるか、または機能ボタン３１ａが押下されて電気錠５の解錠制御が実行されなければ、制御部３９は呼出応対モードを終了し、操作モードを監視制御モードへ戻す。
一方、呼出応対モードへ移行して上記の待機時間以内に通話ボタン３３が押下されると、制御部３９は、住戸装置３と呼出装置２との間の通話制御を実行し、両装置間の通話を開始させる。その後、通話中に再度通話ボタン３３が押下されると、制御部３９は、住戸装置３と呼出装置２との間の終話制御を実行して応対終了信号を呼出装置２へ送信し、両装置間の通話・通信を終了させる。制御部３９は呼出応対モードを終了し、操作モードを監視制御モードへ戻す。
【００３２】
また、通話中あるいは呼出応対モードへ移行して上記の待機時間以内に機能ボタン３１ａが押下されると、制御部３９は、信号線６を介して呼出装置２へ解錠指示信号を送信し、呼出装置２に電気錠５を解錠させる。また制御部３９は、応対終了信号を呼出装置２へ送信して住戸装置３と呼出装置２との間の通信を終了するとともに呼出応対モードを終了し、操作モードを監視制御モードへ戻す。
ここで、操作モードを監視制御モードに移行させてから一定の操作無効期間（例えば、３秒間）が経過するまでの間、制御部３９は、多機能ボタン３１の各ボタン操作を無効とする。これにより、解錠操作の際に、居住者が誤って連続して２回以上機能ボタン３１ａを押下してしまった場合でも、意図せずに警備モードが現在設定されているモード（例えば、在宅警戒モード）から他のモード（警戒解除モードあるいは外出警戒モード）へ切り替えられてしまうことを防止できる。この場合において、住戸装置３が解錠操作を受け付けたことを住居者に認識させるため、制御部３９は、１回目の機能ボタン３１ａの押下後、モニタ３２の表示を即座にメニュー画面に切り替える。そして機能ボタン３１の操作のみ一時的に無効とする。
なお、通話中に機能ボタン３１とは別個に設けられた通話ボタン３３を押下することによって操作モードが監視制御モードへ移行する場合には、機能ボタン３１ａの連続押下による警備モードの誤設定は生じない。そのため、この場合には、制御部３９は操作無効期間を設定せず、居住者は通話ボタン３３の押下後に直ちに多機能ボタン３１の何れかを押下して住戸装置３を操作することができる。
同様に、住戸装置３が呼出信号を受信したことによって操作モードが切り替わる場合も、機能ボタン３１ａの連続押下による警備モードの誤設定は生じないので、制御部３９は操作無効期間を設定しない。
【００３３】
図５を参照しつつ、呼出信号を受信した時の住戸装置３の動作を説明する。なお、以下で説明する動作フローは、住戸装置３の制御部３９により制御される。
住戸装置３の制御部３９は、呼出装置２から呼出信号を受信すると、操作モードを監視制御モードから呼出応対モードへ移行させる（ステップＳ１０１）。また制御部３９は、スピーカ３５から呼び出し音を発生させて、居住者へ呼び出されていることを報知する。その後、制御部３９は、所定の待機時間が経過するまで、機能ボタン３１ａあるいは通話ボタン３３による操作を待機する。そして制御部３９は、所定の待機時間が経過するまでに機能ボタン３１ａが押下されたか否かを判定する（ステップＳ１０２）。所定の待機時間が経過するまでに機能ボタン３１ａが押下された場合、制御部３９は、ロビー１１０と住戸エリア１２０の境界に設置された扉１３０の電気錠５を解錠するよう、呼出装置２へ解錠指示信号を送信する（ステップＳ１０３）。また制御部３９は、呼出装置２と住戸装置３間の通信を終了する。その後制御部３９は、操作モードを呼出応対モードから監視制御モードへ移行する（ステップＳ１０４）。さらに制御部３９は、機能ボタン３１ａが押下された直後から一定の操作無効期間を設定し、その操作無効期間中における多機能ボタン３１の操作を無効とする（ステップＳ１０５）。操作無効期間終了後、制御部３９は呼出信号受信時の処理を終了する。
【００３４】
一方、ステップＳ１０２と併行して、制御部３９は、所定の待機時間が経過するまでに通話ボタン３３が押下されたか否かを判定する（ステップＳ１０６）。所定の待機時間が経過するまでに通話ボタン３３が押下された場合、制御部３９は、通話制御を行い、呼出装置２と住戸装置３との通話を開始する（ステップＳ１０７）。呼出装置２と住戸装置３とで通話が行われている間、制御部３９は、機能ボタン３１ａが押下されたか否か判定する（ステップＳ１０８）。そして機能ボタン３１ａが押下された場合、制御部３９は、制御をステップＳ１０３へ移行して、電気錠５の解錠制御を行い、その後ステップＳ１０４及びＳ１０５の処理を行う。
【００３５】
一方、ステップＳ１０８において、機能ボタン３１ａが押下されていない場合、制御部３９は、通話ボタン３３が再度押下されたか否か判定する（ステップＳ１０９）。ステップＳ１０９において、通話ボタン３３が押下されていない場合、制御部３９は制御をステップＳ１０８へ戻し、機能ボタン３１ａ及び通話ボタン３３の押下の有無判定を繰り返す。ステップＳ１０９において、通話ボタン３３が押下された場合、制御部３９は終話制御を行い、住戸装置３と呼出装置２との通話・通信を終了する（ステップＳ１１０）。その後、制御部３９は、操作モードを呼出応対モードから監視制御モードへ移行する（ステップＳ１１１）。なおこの場合には、制御部３９は操作無効期間を設定しない。
またステップＳ１０６において、所定の待機時間が経過するまでに機能ボタン３１ａ及び通話ボタン３３の何れも押下されない場合も、制御部３９は呼出装置２と住戸装置３間の通信を終了し、操作モードを呼出応対モードから監視制御モードへ移行する（ステップＳ１１１）。ステップＳ１１１の後、制御部３９は、呼出信号受信時の処理を終了する。
【００３６】
以上説明してきたように、本発明の一実施形態に係るインターホンシステムは、住戸装置に設けられた操作モードに応じて異なる機能を担う多機能ボタンの操作を、その多機能ボタン自体が操作されることによって操作モードが切り替わった直後に一時的に無効とすることにより、多機能ボタンの連続押下による誤操作を防止することができる。そのため、係るインターホンシステムは、居住者が意図せずに警備モードを切り替えてしまうことを防止できる。
【００３７】
以上、本発明の好適な実施形態について説明してきたが、本発明はこれらの実施形態に限定されるものではない。例えば、住戸装置の多機能ボタン３１ａが、解錠機能ではなく呼出応対モードにおいて通話の開始及び終了を指示する機能を有していてもよい。この場合、通話の終了を指示するために多機能ボタン３１ａを押下した場合も、住戸装置の制御部は、その押下直後から一定の操作無効期間を設定してもよい。またこの場合、通話ボタンは省略されてもよい。
【００３８】
また、住戸装置の制御部は、多機能ボタンの一つが押下されて操作モードを呼出応対モードから監視制御モードへ移行させる際に設定した操作無効期間中、全ての多機能ボタンの操作を無効とせず、警備モードの変更に関する機能ボタン（上記の例における機能ボタン３１ａ〜３１ｃ）の操作のみを無効としてもよい。あるいは住戸装置の制御部は、その操作無効期間中、通話を終了させて操作モードを監視制御モードへ移行させる機能ボタン（上記の例における機能ボタン３１ａ）の操作のみを無効としてもよい。
さらに、上記の実施形態では、多機能ボタンのうちの解錠制御を実行させる機能ボタン（上記の例における機能ボタン３１ａ）のみが操作モードを呼出モードから監視制御モードへ移行させるように設定されているが、住戸装置の制御部は、他の機能ボタン（例えば、機能ボタン３１ｅまたは３１ｆ）が押下されたときも、操作モードを呼出モードから監視制御モードへ移行させてもよい。この場合において、どの機能ボタンが押下されて操作モードを監視制御モードへ移行させるときも、住戸装置の制御部はそのボタン押下直後に一定の操作無効期間を設定してもよい。
さらに、呼出応対モードにおいて通話中に通話ボタンが押下されて操作モードが監視制御モードに戻る際にも、住戸装置の制御部は、その通話ボタンの押下直後から一定の操作無効期間を設定してもよい。
【００３９】
また、住戸装置と呼出装置とで通話が行われている間に、多機能ボタンの一つが押下されてロビーと住戸エリアの境界に設置された扉の解錠制御が行われたとき、住戸装置の制御部は、操作モードを変更せず、通話を継続させてもよい。この場合、住戸装置の制御部は、解錠制御の後、通話ボタンの押下により終話操作が行われたときに操作モードを呼出応対モードから監視制御モードへ移行するとともに、その通話ボタンの押下直後から一定の操作無効期間を設定する。
以上のように、本発明の範囲内で、実施される形態に合わせて様々な変更を行うことができる。
【図面の簡単な説明】
【００４０】
【図１】本発明の一実施形態に係るインターホンシステムの概略構成図である。
【図２】呼出装置の概略構成図である。
【図３】住戸装置の概略構成図である。
【図４】（ａ）はモニタにメニュー画面が表示された場合の住戸装置の概略正面図であり、（ｂ）はモニタに応対画面が表示された場合の住戸装置の概略正面図である。
【図５】呼出信号受信時の住戸装置の動作を示すフローチャートである。
【符号の説明】
【００４１】
１    インターホンシステム
２    呼出装置
３    住戸装置
３１、３１ａ〜３１ｆ    多機能ボタン（操作部）
３２    モニタ
３３    通話ボタン（第２操作部）
３４    マイクロホン
３５    スピーカ
３６    メモリ
３７    通信インターフェース
３８    監視インターフェース
３９    制御部（操作モード切替部）
４    検出器
５    電気錠
６    信号線
１００    集合住宅
１１０    ロビー
１２０    住戸エリア
１３０    扉
【図１】
2010041137.tif 000003
【図２】
2010041137.tif 000004
【図３】
2010041137.tif 000005
【図４】
2010041137.tif 000006
【図５】
2010041137.tif 000007